(57)【要約】【課題】二次利用コンテンツの著作権を確実に保護する。【解決手段】二次利用されるコンテンツ１３の著作権情報を含むメタデータ１２と暗号化されたコンテンツ１３とが組込まれたパッケージ９を記憶するパッケージメモリ４８を設け、新規作成メモリ６１に操作入力される新規データ１１ａを順次書込み、コンテンツに対する二次利用要求に応じて、二次利用されるコンテンツ１３のメタデータ１２を新規作成メモリ６１に書込む。また、有償で入力された鍵１０を用いて暗号化されたコンテンツ１３を復号し、復号したコンテンツ１３ａを新規データ１１ａ内に挿入し、コンテンツが挿入された新規データ１１を表示出力する。【選択図】    図５
2004264898.tif 000002
【特許請求の範囲】
【請求項１】
新規データに対して著作権を有するコンテンツを二次利用して新規のコンテンツを作成し表示するコンテンツ処理端末において、
前記二次利用されるコンテンツの著作権情報を含むメタデータと暗号化されたコンテンツとが組込まれたパッケージを一時記憶するパッケージメモリと、
順次操作入力される新規データを新規作成メモリに書込む新規データ書込手段と、
コンテンツに対する二次利用要求に応じて、この二次利用のコンテンツのメタデータを前記新規作成メモリに書込むメタデータ書込手段と、
前記新規作成メモリに記憶された新規データ及びメタデータを新規コンテンツとして読出す新規コンテンツ読出手段と、
外部から有償で入力された鍵を用いて前記暗号化されたコンテンツを復号し、復号したコンテンツを前記新規データ内に挿入し、コンテンツが挿入された新規データを表示出力する新規コンテンツ表示手段と
を備えたことを特徴とするコンテンツ処理端末。
【請求項２】
前記メタデータは対応するコンテンツに対する二次利用を許諾するか否の許諾可否情報を含み、
この許諾可否情報が許諾否のとき、前記コンテンツに対する二次利用を禁止する
ことを特徴とする請求項１記載のコンテンツ処理端末。
【請求項３】
前記新規作成メモリから読出した新規コンテンツ及び前記パッケージを送信する送信手段と、
外部から新規コンテンツ及びパッケージを受信する受信手段と、
外部から入力された鍵を用いて受信したパッケージのコンテンツを復号し、復号したコンテンツを前記受信した新規コンテンツの新規データ内に挿入し、コンテンツが挿入された新規データを表示出力する新規コンテンツ表示手段と
を備えたことを特徴とする請求項１又は２記載のコンテンツ処理端末。
【請求項４】
著作権登録要求に応じて、前記コンテンツが挿入された新規データ及び対応するメタデータを著作権管理装置へ送出する送信手段を備えたことを特徴とする請求項１から３のいずれか１項記載のコンテンツ処理端末。
【請求項５】
請求項４記載のコンテンツ処理端末と、このコンテンツ処理端末で作成された新規コンテンツに対する著作権を管理する著作権管理装置とを備えた著作権管理システムにおいて、
前記著作権管理装置は、
各コンテンツ毎に、該当コンテンツの著作権情報、暗号化されたコンテンツを復号するための鍵、売上情報を記憶する著作権データベースと、
前記コンテンツ処理端末から受信した前記コンテンツが挿入された新規データを新たなコンテンツとして、著作権情報、及び新規データと前記コンテンツを特定する特定情報を含む鍵を前記著作権データベースに登録する著作権登録手段と、
前記新規データと前記コンテンツの各著作権情報を含むメタデータ、及び前記鍵で再度暗号化された前記新たなコンテンツを組込んだパッケージを出力するパッケージ作成手段と、
前記コンテンツ処理端末へ有償で提供した鍵に含まれる各特定情報の指定する各売上情報を加算する著作権売上管理手段とを有する
ことを特徴とする著作権管理システム。
【請求項６】
新規データに対して著作権を有する暗号化されたコンテンツを二次利用して新規のコンテンツを作成し表示するコンテンツ処理方法において、
操作入力される新規データと、この新規データに前記二次利用されるコンテンツの著作権情報を含むメタデータとを新規コンテンツとして新規作成メモリに書込み、
外部から有償で入力された鍵を用いて前記暗号化されたコンテンツを復号し、復号したコンテンツを前記新規データ内に挿入し、復号したコンテンツが挿入された新規データを表示出力する
ことを特徴とするコンテンツ処理方法。
【請求項７】
著作権を有するコンテンツが二次利用された状態の新規データ、及びこの二次利用されたコンテンツの著作権情報を含むメタデータを入力し、
各コンテンツ毎に、該当コンテンツの著作権情報、暗号化されたコンテンツを復号するための鍵、売上情報を記憶する著作権データベースに対して、前記入力した新規データを新たなコンテンツとして、著作権情報、及び新規データと前記コンテンツを特定する特定情報を含む鍵を登録し、
前記著作権データベース内における、有償で提供した鍵に含まれる各特定情報の指定する各売上情報を加算する
ことを特徴とする著作権管理方法。
【発明の詳細な説明】
【０００１】
【発明の属する技術分野】
本発明は、既に著作権を有するコンテンツを二次利用して、文書、図形、映像等の新規のコンテンツを作成し表示するコンテンツ処理端末、このコンテンツ処理端末が組込まれた著作権管理システム、コンテンツ処理方法、及び著作権管理方法に関する。
【０００２】
【従来の技術】
文書、図形、映像等の新規のコンテンツを作成して、有償又は無償で不特定多数の人に配布する場合、この作成されたコンテンツに対して著作権が生じるので、この著作権を保護する必要がある。
【０００３】
また、文書、図形、映像等の新規のコンテンツを作成する場合に、この文書、図形、映像等の自己が作成した新規データの途中に、他人が作成し既に著作権が登録されたコンテンツを挿入するコンテンツの二次利用を行う場合が多々ある。
【０００４】
このような場合においては、二次利用のコンテンツを含む新規に作成したコンテンツに対する著作権を保護することは勿論のこと、この新規のコンテンツに二次利用されたコンテンツに対する著作権も保護する必要がある。
【０００５】
コンテンツの二次利用に対する許諾の取得方法、及び二次利用されたコンテンツの二次利用著作権の管理手法は既に提案されている（例えば特許文献１）。
【０００６】
この特許文献１に記載された手法においては、新規にコンテンツを作成する者は、コンテンツの二次利用に先だって、著作権管理サーバに二次利用ライセンス（著作権）の発行要求を送り、二次利用の許諾を得た時点で、このコンテンツと自己が作成したコンテンツとを新らたなカプセルに組込み、この新らたなカプセルに組込まれたコンテンツの二次利用を著作権管理サーバに登録する。
【０００７】
【特許文献１】
特開２００１―３２５３８７号公報
【０００８】
【発明が解決しようとする課題】
しかしながら、この特許文献１に記載された手法においては、新規にコンテンツを作成する者は、二次利用の許諾を得た時点で、このコンテンツと自己が作成したコンテンツとを新らたなカプセルに書込むようにしている。すなわち、この新らたなカプセルには自己が作成した文書や画像等のコンテンツ自体と、既に著作権を有する文書や画像等の二次利用のコンテンツ自体が含まれる。
【０００９】
このように、新規にコンテンツを作成する者が作成した新らたなカプセルに書込まれた新規のコンテンツには、自己が作成した作成データと二次利用のコンテンツのデータとが組込まれるので、この新らたなカプセルを入手した第３者は簡単にこの二次利用のコンテンツが組込まれた新規のコンテンツの内容を複写でき、二次利用のコンテンツの著作権の安全性が低下する。
【００１０】
本発明は、このような事情に鑑みてなされたものであり、新規に作成されるコンテンツに組込まれる二次利用のコンテンツの著作権を確実に保護でき、かつ、この二次利用のコンテンツが組込まれた新規のコンテンツが有償で配布された場合においては、この新規のコンテンツにおける新規データに対する著作権の使用料と、この新規のコンテンツにおける二次利用のコンテンツの著作権の使用料とを確実に区別して徴収可能とするコンテンツ処理端末、このコンテンツ処理端末が組込まれた著作権管理システム、コンテンツ処理方法、及び著作権管理方法を提供することを目的とする。
【００１１】
【課題を解決するための手段】
上記課題を解消するために、本発明のコンテンツ処理端末においては、新規データに対して著作権を有するコンテンツを二次利用して新規のコンテンツを作成し表示するコンテンツ処理端末において、二次利用されるコンテンツの著作権情報を含むメタデータと暗号化されたコンテンツとが組込まれたパッケージを一時記憶するパッケージメモリと、順次操作入力される新規データを新規作成メモリに書込む新規データ書込手段と、コンテンツに対する二次利用要求に応じて、この二次利用のコンテンツのメタデータを新規作成メモリに書込むメタデータ書込手段と、新規作成メモリに記憶された新規データ及びメタデータを新規コンテンツとして読出す新規コンテンツ読出手段と、外部から有償で入力された鍵を用いて暗号化されたコンテンツを復号し、復号したコンテンツを新規データ内に挿入し、コンテンツが挿入された新規データを表示出力する新規コンテンツ表示手段とを備えている。
【００１２】
このように構成されたコンテンツ処理端末においては、新規作成メモリ内にはこのコンテンツ処理端末の操作者が操作入力された新規データと、二次利用のコンテンツの著作権情報を含むメタデータとが含まれる。すなわち、この新規作成メモリ内には二次利用されるコンテンツの文書、画像等の内容（データ）自体は全く含まれないので、新規作成メモリに記憶された新規データ及びメタデータのからなる新規コンテンツにおける二次利用されるコンテンツを複写できないので、この二次利用されるコンテンツの著作権は確実に保護される。
【００１３】
なお、二次利用されるコンテンツの鍵があれば、二次利用されるコンテンツの内容を閲覧できるので、このコンテンツ処理端末の操作者は、二次利用されるコンテンツが挿入された新規データを確認できる。
【００１４】
また別の発明は、上述した発明のコンテンツ処理端末において、メタデータは対応するコンテンツに対する二次利用を許諾するか否の許諾可否情報を含む。そして、この許諾可否情報が許諾否のとき、コンテンツに対する二次利用を禁止する。
【００１５】
このように、パッケージメモリに記憶されたコンテンツのメタデータに該当コンテンツに対する二次利用を許諾するか否の許諾可否情報が含まれるので、各コンテンツの著作権をより綿密に管理可能である。
【００１６】
また別の発明は、上述した発明のコンテンツ処理端末において、新規作成メモリから読出した新規コンテンツ及びパッケージを送信する送信手段と、外部から新規コンテンツ及びパッケージを受信する受信手段と、外部から入力された鍵を用いて受信したパッケージのコンテンツを復号し、復号したコンテンツを受信した新規コンテンツの新規データ内に挿入し、コンテンツが挿入された新規データを表示出力する新規コンテンツ表示手段とを備えている。
【００１７】
このように構成されたコンテンツ処理端末において、自己が作成した新規コンテンツを、他人が操作する他のコンテンツ処理端末へ送信した場合においては、送信先のコンテンツ処理端末は、自己が二次利用されるコンテンツのパッケージ及び二次利用されるコンテンツの鍵を有する時のみ、受信した新規コンテンツの実際の内容を表示画面上で閲覧可能である。
【００１８】
また、別の発明は、上述した発明のコンテンツ処理端末において、著作権登録要求に応じて、コンテンツが挿入された新規データ及び対応するメタデータを著作権管理装置へ送出する送信手段を備えている。
【００１９】
このように構成されたコンテンツ処理端末においては、新規コンテンツを著作権登録するときのみ、コンテンツが挿入された新規データ及び対応するメタデータを著作権管理装置へ送出する。
【００２０】
また別の発明の著作権管理システムは、上記のコンテンツ処理端末と、このコンテンツ処理端末で作成された新規コンテンツに対する著作権を管理する著作権管理装置とを備えたたものである。
【００２１】
そして、著作権管理装置は、各コンテンツ毎に、該当コンテンツの著作権情報、暗号化されたコンテンツを復号するための鍵、売上情報を記憶する著作権データベースと、コンテンツ処理端末から受信したコンテンツが挿入された新規データを新たなコンテンツとして、著作権情報、及び新規データとコンテンツを特定する特定情報を含む鍵を著作権データベースに登録する著作権登録手段と、新規データとコンテンツの各著作権情報を含むメタデータ、及び鍵で再度暗号化された新たなコンテンツを組込んだパッケージを出力するパッケージ作成手段と、コンテンツ処理端末へ有償で提供した鍵に含まれる各特定情報の指定する各売上情報を加算する著作権売上管理手段とを有する。
【００２２】
このように構成された著作権管理システムにおいては、著作権管理装置において、コンテンツ処理端末から受信したコンテンツが挿入された新規データを新たなコンテンツとして著作権データベースに登録される。この場合、新規データとコンテンツを特定する特定情報を含む鍵も著作権データベースに登録される。したがって、コンテンツ処理端末へ有償で提供した鍵には、新規データと二次利用されるコンテンツを特定できる情報が含まれるので、新規データ及び二次利用されるコンテンツの各著作権を個別に管理可能となる。
【００２３】
さらに、別の発明は、新規データに対して著作権を有する暗号化されたコンテンツを二次利用して新規のコンテンツを作成し表示するコンテンツ処理方法において、操作入力される新規データと、この新規データに二次利用されるコンテンツの著作権情報を含むメタデータとを新規コンテンツとして新規作成メモリに書込み、外部から有償で入力された鍵を用いて暗号化されたコンテンツを復号し、復号したコンテンツを新規データ内に挿入し、復号したコンテンツが挿入された新規データを表示出力する。
【００２４】
このように構成されたコンテンツ処理方法においても、先の発明のコンテンツ処理端末とほぼ同様の作用効果を得ることができる。
【００２５】
さらに、別の発明の著作権管理方法においては、著作権を有するコンテンツが二次利用された状態の新規データ、及びこの二次利用されたコンテンツの著作権情報を含むメタデータを入力し、各コンテンツ毎に、該当コンテンツの著作権情報、暗号化されたコンテンツを復号するための鍵、売上情報を記憶する著作権データベースに対して、入力した新規データを新たなコンテンツとして、著作権情報、及び新規データとコンテンツを特定する特定情報を含む鍵を登録し、著作権データベース内における、有償で提供した鍵に含まれる各特定情報の指定する各売上情報を加算する。
【００２６】
【発明の実施の形態】
以下、本発明の一実施形態を図面を用いて説明する。
【００２７】
図１は本発明の一実施形態に係るコンテンツ処理方法及び著作権管理方法が適用され、コンテンツ処理端末及び著作権管理システムが組込まれたコンテンツ販売システムの概略構成を示す模式図である。
【００２８】
このコンテンツ販売システムにおいて、コンテンツ作成・管理装置１は、顧客に対して販売するコンテンツを作成し、コンテンツが組込まれたパッケージ９を管理する。著作権管理装置２はコンテンツ作成・管理装置１で作成されたコンテンツ８、及びコンテンツ処理端末としての顧客端末６から受信した二次利用のコンテンツが挿入された状態の新規データ１１に対して著作権登録を実施するとともに、これ等のコンテンツ８及び新規データ１１を暗号化してパッケージ９に組込み、暗号化したコンテンツ１３を復号するための鍵１０を販売店装置４及び顧客端末６へ有償で提供する。
【００２９】
したがって、コンテンツ処理端末としての顧客端末６と著作権管理装置２とは著作権管理システムを構成する。
【００３０】
コンテンツ配布装置３は、コンテンツ作成・管理装置１から配信されたパッケージ９をネットワーク５を介して顧客端末６へ配布するとともに販売店装置４へ配布する。販売店装置４は、例えば書店やソフトウエア販売店に設置され、コンテンツ配布装置３から配布されたパッケージ９を記録したメモリカード等の記録媒体を顧客に配布するとともに、著作権管理装置２から取寄せたコンテンツを指定した鍵１０をメモリカード等の記録媒体に書込んで有償で顧客に販売する。
【００３１】
顧客が有する例えばＰＣからなる顧客端末６は、コンテンツ配布装置３からネットワーク５を介して無償でパッケージ９を取込むとともに、著作権管理装置２からネットワーク７を介して有償で鍵１０を取込む。また、顧客は販売店装置４で購入した鍵１０が書込まれメモリカードを自己の顧客端末６に装着する。顧客端末６は、パッケージ９に組込まれた暗号化されたコンテンツ１３を鍵１０で復号し、展開ソフトで展開して表示器に表示する。
【００３２】
ソフトモジュールで構成されたパッケージ９内には、図２に示すように、コンテンツの著作権情報を含む該当コンテンツの属性を示すメタデータ１２、暗号化されたコンテンツ１３、展開用ソフト更新／追加データ１４、配布経路１５が組込まれている。なお、配布経路１５はこのパッケージ９が、コンテンツ配布装置３から顧客端末６や販売店装置４へ配布される時点で書込まれる。
【００３３】
メタデータ１２内には、このパッケージ９に含まれる全体のコンテンツのＩＤ１２ａ、全体のコンテンツに対する二次利用の許諾フラグ１２ｂ、全体のコンテンツに対する著作権情報としての著作権番号１２ｃが組込まれている。さらに、この全体のコンテンツ内に二次利用のコンテンツが含まれている場合には、二次利用コンテンツのＩＤ１２ｄ、二次利用コンテンツに対する二次利用の許諾フラグ１２ｅ、二次利用コンテンツに対する著作権情報としての著作権番号１２ｆが組込まれる。
【００３４】
展開用ソフト更新／追加データ１４は、このパッケージ９に組込まれた暗号化されたコンテンツ１３を鍵１０で復号したのち、復号されたコンテンツを展開するための展開用ソフトの更新データ又は追加データである。顧客端末６は自己が有する展開用ソフトをパッケージ９に組込まれた展開用ソフト更新／追加データ１４で更新又は追加することによって、パッケージ９に組込まれたコンテンツを展開して表示することが可能となる。
【００３５】
図３は、コンテンツ販売システムにおけるコンテンツ作成・管理装置１、著作権管理装置２、コンテンツ配布装置３、販売店装置４の詳細構成を示すブロック図である。
【００３６】
コンテンツ作成・管理装置１内において、コンテンツ作成部１６は、文書、図形、映像等のオリジナルのコンテンツ８を作成して、コンテンツファイル１７へ格納する。パッケージ化依頼部１８は、コンテンツファイル１７のコンテンツ８を著作権管理装置２へ送付するとともに、著作権管理装置２から受領したパッケージ９をパッケージファイル１９へ格納する。パッケージ配信部２０は、パッケージファイル１９の各パッケージ９をコンテンツ配布装置３へ配信すると共に、各パッケージ９の配信記録をパッケージ配信ファイル２１へ登録する。
【００３７】
著作権管理装置２内において、パッケージ作成部２２は、コンテンツ作成・管理装置１から入力されたコンテンツ８、又は顧客端末６からネットワーク７を介して入力された二次利用のコンテンツが挿入された状態の新規データ１１に基づいて図２に示すパッケージ９を作成してコンテンツ作成・管理装置１へ送信する。
【００３８】
著作権データベース（ＤＢ）２３内には、図４に示すように、この著作権管理装置２で管理する著作権毎に、著作権番号、著作権者名、利用単価、二次利用許諾フラグ、鍵ＩＤ、コンテンツＩＤ、売上金額が記憶されている。なお、著作権データベース（ＤＢ）２３内で記憶される項目に関しては、本実施形態では、著作権番号、著作権者名、利用単価、二次利用許諾フラグ、鍵ＩＤ、コンテンツＩＤ及び売上金額を取上げているが、必要に応じて新たな項目を追加、一部の項目を削除又は変更してもよい。
【００３９】
著作権登録部２４は、コンテンツ作成・管理装置１から入力されたコンテンツ８、又は顧客端末６から入力された二次利用のコンテンツが挿入された状態の新規データ１１を、図４に示した著作権データベース（ＤＢ）２３内に新規登録すると共に、該当コンテンツ８単独、又は新規データ１１とこの新規データ１１に組込まれた二次利用コンテンツとの両方を特定する特定情報を含む鍵１０の発行依頼を鍵管理部２５へ送信する。そして、得られた鍵１０の鍵ＩＤを著作権データベース（ＤＢ）２３に登録する。
【００４０】
鍵管理部２５は、発行依頼に基づいて鍵１０を作成して、コンテンツ暗号化部２６へ送出するとともに、鍵ＤＢ（データベース）２７へ登録する。さらに鍵管理部２５は、鍵配信部２８からのコンテンツを指定した鍵１０の要求に応じて鍵ＤＢ（データベース）２７から該当鍵１０を読出して鍵配信部２８に返信する。コンテンツ暗号化部２６は、入力されたコンテンツ８又は新規データ１１を入力された鍵１０で復号できる条件で暗号化して暗号化したコンテンツ１３をパッケージ作成部２２へ送出する。
【００４１】
メタデータ作成部２９は、入力されたコンテンツ８又は新規データ１１に対する図２に示したメタデータ１２を作成してパッケージ作成部２２へ送出するとともに、作成したメタデータ１２をメタデータファイル３０へ格納する。
【００４２】
鍵配信部２８は、顧客端末６又は販売店装置４からのコンテンツを指定した鍵１０の送信要求に応じて、該当コンテンツに対応する鍵１０を鍵管理部２５へ要求し、鍵管理部２５から受領した鍵１０を有償で要求元の顧客端末６又は販売店装置４へ送信する。さらに、鍵配信部２８は、鍵１０の配信記録を課金部３１及び著作権売上管理部３３へ通知する。課金部３１は、配信記録に基づいてコンテンツ売上登録ファイル３２のコンテンツ売上金額を更新する。
【００４３】
著作権売上管理部３３は、著作権データベース（ＤＢ）２３内の、有償で配布した鍵１０に含まれる特定情報の指定するコンテンツの売上金額を利用単価だけ増額する。この場合、鍵１０に含まれる特定情報が新規データ１１とこの新規データ１１に組込まれた二次利用コンテンツとの両方を特定する特定情報の場合、新規データ１１とこの新規データ１１に組込まれた二次利用コンテンツとの両方の売上金額を予め定められた分配率に従って増額する。
【００４４】
コンテンツ配布装置３内において、パッケージ配布部３５は、コンテンツ作成・管理装置１からパッケージ入荷部３４に配信されてきたパッケージ９に自己のコンテンツ配布装置３及びＷｅｂ配信部３７の配布経路１５を付加して、Ｗｅｂ配布部３７を介して配布要求があった顧客端末６へ配布する。また、パッケージ配布部３５は、配信されてきたパッケージ９に自己のコンテンツ配布装置３及び配布先の販売店装置４の配布経路１５を付加して販売店配布部３８へ配布する。さらに、パッケージ配布部３５はパッケージ９の配布記録をパッケージ配布ファイル３６へ登録する。販売店配布部３８は、入力したパッケージ９を例えばＳＤ（ｓｅｃｕｒｅ  ｄｉｇｉｔａｌ）メモリカード等の小型のメモリカードに書込んで書店やソフトウエア販売店に設置された販売店装置４へ配布する。
【００４５】
販売店装置４内において、パッケージ配布部４０はコンテンツ配布装置３からパッケージ入荷部３９へ入荷したパッケージ９が記録されたメモリカードを係員（店員）が無償で希望する顧客に配布する。鍵販売部４２は、顧客からのコンテンツを指定した鍵購入要求が入力すると、この鍵購入要求を鍵管理部４１へ送信する。鍵管理部４１は、コンテンツを指定した鍵送信要求を著作権管理装置２へ送信し、著作権管理装置２から対応する鍵１０が入力すると、この鍵１０をパッケージ９とは別のメモリカードに書込んで鍵販売部４２へ配布（搬送）する。鍵販売部４２は、この鍵１０が書込まれたメモリカードを顧客に代金と引替えに渡す。鍵管理部４１は、鍵１０の売上を鍵売上ファイル４３へ登録する。
【００４６】
顧客が有する例えばＰＣからなるコンテンツ処理端末としての顧客端末６は、例えば、図５に示すように構成されている。
【００４７】
この顧客端末６内には、ネットワーク５、７を介して、コンテンツ配布装置３、著作権管理装置２、又は他の顧客端末と情報交換を行うＷｅｂブラウザ４５、販売店装置４で無償配布された又は購入したパッケージ９又は鍵１０が記憶されたメモリカード４４の記憶データを読取るカード読取部４６、Ｗｅｂブラウザ４５又はカード読取部４６を介してパッケージ９を取込むとともに、取込んだパッケージ９をパッケージメモリ４８へ一時記憶する受信部４７、Ｗｅｂブラウザ４５又はカード読取部４６を介して対応するパッケージ９の鍵１０を料金を支払って取込むとともに、取込んだ鍵１０を鍵メモリ４９へ書込む鍵取得部５０が設けられている。なお、受信部４７は、ネットワーク５、７を介して他の顧客端末から受信した新規コンテンツを受信データメモリ５１に書込む。
【００４８】
さらに、この顧客端末６内には、鍵１０を用いてパッケージ９の暗号化されたコンテンツ１３を復号してコンテンツメモリ５３へ書込むコンテンツ復号部５２、自己の展開用ソフトを記憶する展開用ソフトメモリ５４、パッケージ９の展開用ソフト更新／追加データ１４に基づいて、展開用ソフトメモリ５４に記憶されている自己の展開用ソフトを更新／追加して、更新／追加済みの展開用ソフトとして更新／追加済み展開用ソフトメモリ５５へ書込む展開用ソフト更新／追加部５６が設けられている。
【００４９】
さらに、この顧客端末６内には、更新／追加済みの展開用ソフトを用いてコンテンツメモリ５３の復号されたコンテンツを展開して表示器５７に表示するコンテンツ展開部５８が設けられている。
【００５０】
さらに、この顧客端末６内には、この顧客端末６の操作者が、コンテンツ作成ソフト５９を用いて、新規作成メモリ６１内に新規のコンテンツを作成するコンテンツ作成部６０が設けられている。新規作成メモリ６１内には、この顧客端末６の操作者が新規に書込んだ文書等の新規データ１１ａ、この新規データ１１ａに挿入すべき二次利用コンテンツのメタデータ１２が記憶される。
【００５１】
さらに、この顧客端末６内には、パッケージメモリ４８に記憶されているパッケージ９のコンテンツ１３の二次利用の許諾をメタデータ１２内の二次利用許諾フラグ１２ｂ（１２ｅ）で判断するに二次利用許諾判定部６２、及び許諾された二次利用コンテンツのメタデータ１２を新規作成メモリ６１内に書込むコンテンツリンク情報生成部６３が設けられている。また、送信部６４は、操作者の指示に基づいて新規作成メモリ６１内に書込まれた新規データ１１ａ及びメタデータからなる新規コンテンツやパッケージメモリ４８に記憶されたパッケージ９を他の顧客端末へ送信したり、著作権管理装置２へ著作権登録要求を送信する。
【００５２】
図６（ａ）〜（ｄ）は、この顧客端末６の表示器５７における新規コンテンツの作成及び二次利用コンテンツ６５の表示画面５７ａの変遷を示す図である。
【００５３】
そして、この顧客端末６は、図７、図８、図９の流れ図に従って、新規コンテンツの作成処理、他の顧客端末６から受信した新規コンテンツの表示処理、及び作成した新規コンテンツの著作権管理装置２に対する著作権登録要求処理を実行する。
【００５４】
顧客の操作にて、コンテンツ配布装置３のＵＲＬが入力すると（Ｓ１）、Ｗｅｂブラウザ４５が起動して、コンテンツ配布装置３のホームページ（ＨＰ）を検索する（Ｓ２）。ホームページが自己の表示器５７に表示され、このホームページ上で希望するコンテンツが顧客の操作にて指定されると（Ｓ３）、コンテンツ配布装置３からパッケージ９が送信されてくる。パッケージ９を受信すると（Ｓ４）、受信部４７がこのパッケージ９をパッケージメモリ４８へ書込む（Ｓ５）。
【００５５】
鍵１０のメモリカード４４が入力されると（Ｓ６）、カード読取部４６で鍵１０を読取り（Ｓ７）、鍵メモリ４９へ書込む（Ｓ８）。
【００５６】
顧客の操作によって、新規コンテンツの作成指示が入力すると（Ｓ９）、コンテンツ作成ソフト５９を起動する（Ｓ１０）。そして、キーボードから顧客の操作によって、例えば文書等の新規データ１１ａが入力されると（Ｓ１１）、この入力された新規データ１１ａを、新規作成メモリ６１へ書込むとともに、図６（ａ）に示すように、表示器５７の表示画面５７ａに表示出力する（Ｓ１２）。
【００５７】
顧客の操作によって、コンテンツを二次利用するために、パッケージメモリ４８に記憶されたパッケージ９のコンテンツ１３の読出指示が入力されると（Ｓ１３）、鍵メモリ４９に該当コンテンツ１３の鍵１０が記憶されていることを確認する（Ｓ１４）。鍵１０が記憶されていれば、この暗号化されたコンテンツ１３を復号し（Ｓ１５）、復号したコンテンツ１３ａを図６（ａ）に示すように表示画面５７ａの一部にウインドウ表示する（Ｓ１６）。
【００５８】
顧客の操作によって、ウインドウ表示されたコンテンツ１３ａの新規データ１１ａに対する組込み指示（二次利用指示）が入力されると（Ｓ１７）、二次利用許諾判定部６２が起動して、パッケージメモリ４８に記憶されたパッケージ９のメタデータ１２の該当コンテンツ１３の二次利用許諾フラグ１２ｂの状態を調べる。「１」の場合は（Ｓ１８）、該当コンテンツ１３の二次利用が可能であるので、図６（ｂ）に示すように、ウインドウ表示されたコンテンツ１３ａを作成中の新規データ１１ａ内に組込んで表示する（Ｓ１９）。同時に、該当コンテンツ１３（１３ａ）のメタデータ１２を新規作成メモリ６１へ書込む（Ｓ２０）。すなわち、新規作成メモリ６１内には、二次利用されるコンテンツ１３ａ（１３）自体は書込まれない。
【００５９】
なお、鍵メモリ４９に該当コンテンツ１３の鍵１０が記憶されていない場合は（Ｓ１４）、表示器５７に「鍵無し」表示を行い、鍵取得を促す（Ｓ２１）。さらに、該当コンテンツ１３の二次利用許諾フラグ１２ｂが「０」の場合は（Ｓ１８）、該当コンテンツ１３の二次利用が不可能であるので、表示器５７に「二次利用不許可」を表示する（Ｓ２２）。
【００６０】
新規データ１１ａの作成が終了すると（Ｓ２３）、図６（ｃ）に示すように、表示器５７の表示画面５７ａには、新規データ１１ａに二次利用されるコンテンツ１３ａが挿入された状態の新規データ１１が表示される。さらに、この状態においては、新規作成メモリ６１内には、新規データ１１ａと二次利用されるコンテンツ１３ａ（１３）のメタデータ１２とからなる新規コンテンツが記憶されている。
【００６１】
顧客の操作によって、作成した新規のコンテンツ（新規データ１１）に対する著作権登録指示が入力されると（Ｓ２４）、新規データ１１ａ、二次利用されるコンテンツ１３ａ、二次利用されるコンテンツ１３ａ（１３）のメタデータ１２とをネットワーク７を介して著作権管理装置２へ送信する（Ｓ２５）。なお、実際には、新規データ１１ａに二次利用されるコンテンツ１３ａが挿入された状態の新規データ１１及びメタデータ１２が送信される。
【００６２】
また、図９のＳ２６にて、作成した新規コンテンツの他の顧客端末への送信指示が入力され、二次利用コンテンツの送信指令が続いて操作入力されると（Ｓ２７）、新規作成メモリ６１内に記憶された新規データ１１ａと二次利用されるコンテンツ１３ａ（１３）のメタデータ１２とからなる新規コンテンツと、パッケージメモリ４８の二次利用されるコンテンツ（１３）のパッケージ９とを、ネットワーク５、７を介して、指定された他の顧客端末へ送信する（Ｓ２８）。
【００６３】
なお、二次利用コンテンツの送信指令が操作入力されないと（Ｓ２７）、新規作成メモリ６１内に記憶された新規データ１１ａと二次利用されるコンテンツ１３ａ（１３）のメタデータ１２とからなる新規コンテンツのみを指定された他の顧客端末へ送信する（Ｓ２９）。
【００６４】
さらに、Ｓ３０にて、他の顧客端末から、ネットワーク５、７を介して新規データ１１ａと二次利用されるコンテンツ１３ａ（１３）のメタデータ１２とからなる新規コンテンツを受信すると、この受信した新規コンテンツを受信データメモリ５１へ書込む（Ｓ３１）。続いて該当顧客端末から二次利用されるコンテンツ（１３）のパッケージ９を受信すると（Ｓ３２）、パッケージメモリ４８へ書込む（Ｓ３３）。
【００６５】
そして、受信データメモリ５１に書込んだ新規コンテンツの新規データ１１ａのみを図６（ｄ）に示すように表示器５７の表示画面５７ａに表示出力する（Ｓ３４）。この状態においては、二次利用コンテンツ１３ａは表示されない。
【００６６】
受信データメモリ５１内に二次利用されるコンテンツ１３ａ（１３）のメタデータ１２が書込まれていた場合は（Ｓ３５）、この二次利用されるコンテンツ１３ａ（１３）のパッケージ９がパッケージメモリ４８に書込まれており（Ｓ３６）、さらに、鍵メモリ４９に、二次利用されるコンテンツ１３の鍵１０が記憶されていることを確認する（Ｓ３７）。そして、この鍵１０で二次利用されるコンテンツ１３を復号し（Ｓ３８）、復号した二次利用されるコンテンツ１３ａを、表示器５７の表示画面５７ａに表示されている新規データ１１ａの指定位置に挿入して表示する（Ｓ３９）。また、復号した二次利用されるコンテンツ１３ａを表示画面５７ａにウインドウ表示する。この状態においては、図６（ｃ）に示すように、表示画面５７ａに新規データ１１ａに二次利用されるコンテンツ１３ａが挿入された状態の新規データ１１が表示される。
【００６７】
コンテンツ販売システムの著作権管理装置２は、図１０に示す流れ図に従って入力されたコンテンツ８、又はメタデータ１２が添付された新規データ１１に対する著作権管理処理を実施する。
【００６８】
コンテンツ作成・管理装置１からのコンテンツ８、又は顧客端末６からのメタデータ１２が添付された新規データ１１が入力されると（Ｑ１）、この新規データ１１も一つのコンテンツと見なして、この入力されたコンテンツに対して、鍵１０を発行する（Ｑ２）。なお、この鍵１０には、前述したように、該当コンテンツ８単独、又は新規データ１１とこの新規データ１１に組込まれた二次利用コンテンツ１３ａ（１３）との両方を特定する特定情報を含む。
【００６９】
そして、該当コンテンツを著作権データベース２３へ新規に登録する（Ｑ３）。そして、該当コンテンツの図２に示すメタデータ１２に、全体コンテンツＩＤ１２ａ、全体コンテンツの二次利用許諾フラグ１２ｂ、全体コンテンツの著作権番号１２ｃを書込む（Ｑ４）。該当コンテンツに二次利用のコンテンツ１３ａが含まれる場合は（Ｑ５）、該当コンテンツの図２に示すメタデータ１２に、二次利用のコンテンツＩＤ１２ｄ、二次利用コンテンツ１３ａの二次利用許諾フラグ１２ｅ、二次利用コンテンツ１３ａの著作権番号１２ｆを書込む（Ｑ６）。
【００７０】
その後、該当コンテンツを鍵１０を用いて暗号化し（Ｑ７）、暗号化したコンテンツ１３、作成したメタデータ１２、展開用ソフト更新／追加データ１４等を組込んだパッケージ９を作成して（Ｑ８）、コンテンツ作成・管理装置１へ送出する（Ｑ９）。
【００７１】
また、鍵配信部２８にて、顧客端末６に対して鍵１０を販売すると（Ｑ１０）、課金部３１でコンテンツ売上登録ファイル３２のコンテンツ売上金額を更新する（Ｑ１１）。さらに、著作権売上管理部３３は、著作権データベース（ＤＢ）２３内の、有償で配布した鍵１０に含まれる特定情報の指定するコンテンツの売上金額を利用単価だけ増額する。この場合、前述したように、鍵１０に含まれる特定情報が新規データ１１とこの新規データ１１に組込まれた二次利用コンテンツ１３ａとの両方を特定する特定情報の場合、新規データ１１とこの新規データ１１に組込まれた二次利用コンテンツ１３ａとの両方の売上金額を予め定められた分配率に従って増額する（Ｑ１２）。
【００７２】
このように構成されたコンテンツ処理処端末としての顧客端末６及び著作権管理システムが組込まれたコンテンツ販売システムにおいては、コンテンツ配布装置３からネットワーク５又は販売店装置４を介してＰＣ等の顧客端末６に配布されるパッケージ９には、図２に示すように、暗号化されたコンテンツ１３の他にメタデータ１２等が組込まれている。メタデータ１２には、コンテンツ１３の二次利用許諾フラグ１２ｂ及び著作権情報としての著作権番号１２ｃが書込まれている。
【００７３】
そして、このパッケージ９を受領した顧客端末６は、このパッケージ９の暗号化されたコンテンツ１３を表示画面５７ａに表示するには、このコンテンツ１３の鍵１０を有償で購入する必要がある。
【００７４】
顧客が自己の顧客端末６を用いて新規にコンテンツを作成する場合、新規データ１１ａを順次入力していくと、新規データ１１ａは新規作成メモリ６１に順次書込まれていくと同時に、図６（ａ）に示すように、表示画面５７ａに順次表示されていく。
【００７５】
そして、自己が作成した新規データ１１ａにパッケージメモリ４８に記憶されたコンテンツ１３を二次利用する場合、二次利用コンテンツ１３の鍵１０があり、かつ該当コンテンツ１３の二次利用許諾フラグ１２ｂが「１」の条件の下に、該当コンテンツ１３の二次利用が可能となる。
【００７６】
この場合、表示画面５７ａには、図６（ｃ）に示すように、復号された二次利用コンテンツ１３ａが挿入された状態の新規データ１１が表示される。しかし、新規作成メモリ６１内には、二次利用されるコンテンツ１３ａ（１３）自体は書込まれなく、新規データ１１ａと二次利用されるコンテンツ１３ａ（１３）のメタデータ１２のみからなる新規コンテンツが記憶されているのみである。
【００７７】
したがって、顧客が顧客端末６で自己が作成した新規コンテンツを、他人が操作する他の顧客端末６へ送信した場合においては、送信先の顧客端末６は、二次利用されるコンテンツ１３のパッケージ９及び二次利用されるコンテンツ１３の鍵１０を有する時のみ、受信した新規コンテンツの実際の内容を表示画面上で閲覧可能である。
【００７８】
すなわち、顧客端末６相互間で送受信される新規コンテンツ自体には著作権を有する二次利用されるコンテンツ１３ａ（１３）自体は存在しないので、たとえこの新規コンテンツを複写したとしても、二次利用されるコンテンツ１３ａ（１３）の著作権は十分保護される。
【００７９】
この場合、コンテンツ１３ａ（１３）が二次利用可能か否の情報は予めメタデータ１２に書込まれているので、コンテンツ１３ａ（１３）の二次利用に際して、その都度、二次利用可能か否を著作権管理装置２へ問合わせる必要がないので、顧客端末６の処理負担を軽減できる。
【００８０】
また、著作権管理装置２において、顧客端末６から受信したコンテンツ１３ａが挿入された新規データ１１が、コンテンツ作成・管理装置１で作成されたコンテンツ８と同等に、新たなコンテンツとして著作権データベース２３に登録される。この場合、新規データ１１ａとコンテンツ１３ａを特定する特定情報を含む鍵１０も著作権データベース２３に登録される。
【００８１】
したがって、著作権管理装置２から顧客端末６へ有償で提供した鍵１０には、新規データ１１ａと二次利用されるコンテンツ１３ａを特定できる情報が含まれるので、新規データ１１ａ及び二次利用されるコンテンツ１３ａの各著作権を、著作権データベース２３の個別の売上として管理可能となる。
【００８２】
【発明の効果】
以上説明したように、本発明のコンテンツ処理端末、著作権管理システム、コンテンツ処理方法及び著作権管理方法においては、新規に作成されるコンテンツに組込まれる二次利用のコンテンツの著作権を確実に保護でき、かつ、この二次利用のコンテンツが組込まれた新規のコンテンツが有償で配布された場合においては、この新規のコンテンツにおける新規データに対する著作権の使用料と、この新規のコンテンツにおける二次利用のコンテンツの著作権の使用料とを確実に区別して徴収可能となる。
【図面の簡単な説明】
【図１】本発明の一実施形態に係るコンテンツ処理方法及び著作権管理方法が適用され、コンテンツ処理端末及び著作権管理システムが組込まれたコンテンツ販売システムの概略構成を示す模式図
【図２】同実施形態コンテンツ販売システムにおいて配布されるパッケージの構成を示す図
【図３】同実施形態コンテンツ販売システムの詳細構成を示すブロック図
【図４】同実施形態コンテンツ販売システムに組込まれた著作権管理装置内に形成された著作権データベースの記憶内容を示す図
【図５】同実施形態コンテンツ販売システムに組込まれた顧客端末の構成を示すブロック図
【図６】同顧客端末における表示器の表示内容を示す図
【図７】同顧客端末の動作を示す流れ図
【図８】同じく同顧客端末の動作を示す流れ図
【図９】同じく同顧客端末の動作を示す流れ図
【図１０】同実施形態コンテンツ販売システムに組込まれた著作権管理装置の動作を示す流れ図
【符号の説明】
１…コンテンツ作成・管理装置、２…著作権管理装置、３…コンテンツ配布装置、４…販売店装置、５、７…ネットワーク、６…顧客端末、８，１３，１３ａコンテンツ、９…パッケージ、１０…鍵、１１，１１ａ…新規データ、１２…メタデータ、２３…著作権データベース、２４…著作権登録部、２５…鍵管理部、３３…著作権売上管理部、４８…パッケージメモリ、４９…鍵メモリ、５１…受信データメモリ、５７…表示器、５９…コンテンツ作成ソフト、６０…コンテンツ作成部、６１…新規作成メモリ、６２…二次利用許諾判定部
【図１】
2004264898.tif 000003
【図２】
2004264898.tif 000004
【図３】
2004264898.tif 000005
【図４】
2004264898.tif 000006
【図５】
2004264898.tif 000007
【図６】
2004264898.tif 000008
【図７】
2004264898.tif 000009
【図８】
2004264898.tif 000010
【図９】
2004264898.tif 000011
【図１０】
2004264898.tif 000012